【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
選択可能表示パターンで時間を表示するための時間表示装置であって、  時間メカニズムと、  複数の選択可能表示パターンを記憶するための記憶装置と、  オペレーターからの少なくとも１つの入力を受信し、該少なくとも１つの入力に応えて前記選択可能表示パターンの１つを選択するインターフェースであって、  第一の位置と第二の位置に設置されるように適応されるパターントグルメンバーを含み、  前記トグルメンバーの前記第一の位置が第一の画像表示を選択し、前記トグルメンバーの前記第二の位置が第二の画像表示を選択するインターフェースと、  表示領域と、前記表示領域の近くに位置する複数の表示要素を有するディスプレイであって、  前記複数の表示要素が複数の時間要素と複数の日付要素とを含み、  前記複数の時間要素が複数の分表示要素と複数の時間表示要素とを含み、  前記複数の分表示要素のそれぞれが少なくとも公開状態と非公開状態とを有するとともに、少なくとも１分の経過を示し、  前記公開状態にある前記分表示要素の量が一時間内に経過した分数を示し、    前記複数の時間表示要素のそれぞれが少なくとも公開状態と非公開状態を有するとともに、少なくとも一時間の経過を示し、  前記公開状態にある前記時間表示要素の量が、一日の内に経過した時間数を示し、  前記複数の日付要素が複数の日表示要素と複数の月表示要素とを含み、  前記複数の日表示要素のそれぞれが少なくとも公開状態と非公開状態とを有するとともに、一月の内の少なくとも一日の経過を示し、  前記公開状態にある前記日付表示要素の量が一月の内に経過した日数を示し、  前記複数の月表示要素のそれぞれが少なくとも公開状態と非公開状態とを有するとともに、少なくとも一月の経過を示し、  前記公開状態にある前記月表示要素の量が一年の内に経過した月数を示すディスプレイと、  前記時間メカニズム、前記記憶装置及び前記インターフェースと通信している表示要素コントローラーであって、  前記表示要素コントローラーが前記時間メカニズムから時間信号を受信し、該時間信号に応えて前記コントローラーが前記時間表示要素と前記分表示要素に表示管理信号を出力し、  前記表示要素コントローラーが前記時間表示要素と前記分表示要素と動作可能なように通信し、  前記表示要素コントローラーが前記時間表示要素と前記分表示要素のそれぞれを、少なくともそれぞれの前記公開状態と前記非公開状態の間で切り替え、  それによって前記選択可能表示パターンの前記一つの時間グループパターンと分グループパターンがそれぞれ該表示領域の近くに公開され、  前記表示要素コントローラーが前記日表示要素と前記月表示要素とも動作可能なように通信し、  前記表示要素コントローラーが前記日表示要素と前記月表示要素のそれぞれを、少なくともそれぞれの前記公開状態と前記非公開状態の間で切り替え、  それによって前記選択可能表示パターンの前記一つの日グループパターン及び月グループパターンがそれぞれ該表示領域の近くに公開され、  それによって前記選択可能表示パターンの前記一つの前記日グループパターンと前記月グループパターンを含む日付グループパターンが、該時間信号に応えて前記コントローラーからの該出力管理信号の結果として該表示領域の近くに公開され、  前記時間グループパターン、前記分グループパターン、前記日グループパターン及び前記月グループパターンのそれぞれが、該表示領域を基準にして別個で認識できるコントラストとなり、前記時間グループパターン、前記分グループパターン、前記日グループパターン及び前記月グループパターンの内の他のグループパターンから視覚的に区別可能であり、  それによって、前記パターントグルメンバーが前記第一の位置にあるときに、前記第一の画像表示が前記時間グループパターン、前記分グループパターン、前記日グループパターン及び前記月グループパターンの内の少なくとも１つを含み、  それによって、前記パターントグルメンバーが前記第二の位置にあるときに、前記第二の画像表示が前記時間グループパターン、前記分グループパターン、前記日グループパターン及び前記月グループパターンの内の少なくとも他の１つを含み、  前記第一の画像表示と第二の画像表示が互いから視覚的に区別できる表示要素コントローラーと、を備える時間表示装置。
【請求項２】
前記時間グループパターンと前記分グループパターンのそれぞれが複数のサブグループパターンを含み、前記サブグループパターンのそれぞれがそのサブグループパターンの中の任意の表示要素によって開始することが可能で、前記時間グループパターンの前記サブグループパターンの間の該表示領域の近くの公開の時間的順序が前記時間グループパターンの前記サブグループパターンの内のどれか一つの中で任意の表示要素によって開始することが可能で、前記分グループパターンの前記サブグループパターンの間の該表示領域の近くの公開の時間的順序が前記分グループパターンの前記サブグループパターンのどれか一つの中で任意の表示要素によって開始することができる請求項１に記載の装置。
【請求項３】
前記時間グループパターンと前記分グループパターンのそれぞれの各サブグループパターンが、２表示要素と、３表示要素と、４表示要素と、５表示要素と、６表示要素の内の一つからなる表示要素のグループによって公開される請求項２に記載の装置。
【請求項４】
前記時間グループパターンと前記分グループパターンが結合して単一の表示パターンを形成する請求項１に記載の装置。
【請求項５】
前記時間グループパターンと前記分グループパターンのそれぞれが、ドットの第一のグループパターンと、ドットの第二のグループパターンと、線の第一のグループパターンと、線の第二のグループパターンと、形状の第一のグループパターンと形状の第二のグループパターンからなるグループパターンのグループから選択される請求項1に記載の装置。
【請求項６】
前記時間表示要素が、１２の主要時間表示要素と２４の主要時間表示要素からなる時間表示要素のグループから選択され、各主要時間表示要素が一時間の経過の表示のためであり、  前記分表示要素が、各主要分表示要素が一分の経過の表示のためである６０の主要分表示要素と、各主要分表示要素が５分の経過の表示のためである１２の主要分表示要素と、各主要分表示装置が５分の経過の表示のためであり、各二次分表示要素が各５分間隔の間の４分の期間の一分の経過の表示のためである１２の主要分表示要素及び４の二次的分表示要素とからなる分表示要素のグループから選択される請求項1に記載の装置。
【請求項７】
前記記憶装置、前記インターフェース、前記複数の表示要素、及び前記コントローラーが単一操作装置として製造される請求項１に記載の装置。
【請求項８】
前記複数の表示要素が該表示領域の近くに位置する複数の秒表示要素をさらに備え、前記秒表示要素のそれぞれが少なくとも公開状態と非公開状態とを有し、少なくとも一秒の経過の表示のためであり、前記秒表示要素の前記公開状態にある前記秒表示要素の表示要素量が一分内に経過した秒数を示し、それにより前記コントローラーが前記秒表示要素と動作可能に通信し、それにより前記選択可能表示パターンの前記一つの秒グループパターンが、時間信号に応えて前記コントローラーからの該出力表示管理信号の結果として該表示領域の近くに公開され、前記秒グループパターンが該表示領域を基準にして別個で認識できるコントラストとなり、前記時間グループパターンと前記分グループパターンから視覚的に区別可能である請求項１に記載の装置。
【請求項９】
前記時間表示要素が、１２の主要時間表示要素と２４の主要時間表示要素からなる時間表示要素のグループから選択され、各主要時間表示要素が一時間の経過の表示のためであり、  前記分表示要素が、各主要分要素が一分の経過の表示のためである６０の主要分表示要素と、各主要分表示要素が５分の経過の表示のためである１２の主要分表示要素と、各主要分表示要素が５分の経過の表示のためであり、各二次分表示要素が各５分間隔の間の４分の期間の一分の経過の表示のためである１２の主要分表示要素及び４の二次分表示要素とからなる分表示要素のグループから選択され、  前記秒表示要素が、各主要秒表示要素が一秒の経過の表示のためである６０の主要秒表示要素と、各主要表示要素が５秒の経過の表示のためである１２の主要秒表示要素と、各主要秒表示要素が５秒の経過の表示のためであり、各二次秒表示要素が各５秒間隔の間の４秒の期間の一秒の経過の表示のためである１２の主要秒表示要素及び４の二次秒表示要素とからなる秒表示要素のグループから選択される請求項８に記載の装置。
【請求項１０】
前記複数の表示要素が、該表示領域の近くに位置する複数の日表示要素をさらに備え、前記日表示要素のそれぞれが少なくとも公開状態と非公開状態とを有し、一週間の内の一日の経過の表示のためであり、前記日表示要素の前記公開状態にある前記日表示要素の表示要素の量が一週間の内に経過した日数を示し、それにより前記コントローラーが前記日表示要素と動作可能に通信し、それにより前記選択可能表示パターンの前記一つの日グループパターンが該時間信号に応えて前記コントローラーからの該出力表示管理信号の結果として該表示領域の近くに公開され、前記日グループパターンが該表示領域を基準にして別個で認識できるコントラストとなり、前記時間グループパターンと前記分グループパターンから視覚的に区別可能である請求項１に記載の装置。
【請求項１１】
前記記憶装置に接続される映写機と、表示領域上で前記表示要素の画像を映写するための前記インターフェースとをさらに備える請求項１に記載の装置。
【請求項１２】
選択可能表示パターンで時間を表示するための時間表示装置であって、  時間メカニズムと、  複数の選択可能な表示パターンを記憶するための記憶装置と、  オペレーターから少なくとも一つの入力を受信し、該少なくとも１つの入力に応えて前記選択可能表示パターンの１つを選択するインターフェースであって、  第一の位置と第二の位置に設置されるように適応されるパターントグルメンバーを含み、  前記トグルメンバーの前記第一の位置が第一の画像表示を選択し、前記トグルメンバーの前記第二の位置が第二の画像表示を選択するインターフェースと、  表示領域と、前記表示領域の近くに位置する複数の表示要素とを有するディスプレイであって、  前記複数の表示要素が複数の時間要素と複数の日付要素とを含み、  前記複数の時間要素が複数の分表示要素と複数の時間表示要素とを含み、  前記複数の分表示要素のそれぞれが少なくとも公開状態と非公開状態とを有するとともに、少なくとも一分の経過を示し、  前記公開状態にある前記分表示要素の量が一時間内に経過した分数を示し、  前記複数の時間表示要素のそれぞれが少なくとも公開状態と非公開状態とを有するとともに、少なくとも一時間の経過を示し、  前記公開状態にある前記時間表示要素の量が一日の内に経過した時間数を示し、  前記複数の日付要素が複数の日表示要素と複数の月表示要素とを含み、  前記複数の日表示要素のそれぞれが少なくとも公開状態と非公開状態とを有するとともに、一月の内の少なくとも一日の経過を示し、  前記公開状態にある前記日付表示要素の量が一月の内に経過した日数を示し、  前記複数の月表示要素のそれぞれが少なくとも公開状態と非公開状態とを有するとともに、少なくとも一月の経過を示し、  前記公開状態にある前記月表示要素の量が一年の内に経過した月数を示すディスプレイと、  前記時間メカニズム、前記記憶装置、及び前記インターフェースと通信する表示要素コントローラーであって、  前記表示要素コントローラーが前記時間メカニズムから時間信号を受信し、該時間信号に応えて前記コントローラーが前記時間表示要素と前記分表示要素に表示管理信号を出力し、  前記表示要素コントローラーが前記時間表示要素と前記分表示要素と動作可能なように通信し、  前記表示要素コントローラーが前記時間表示要素と前記分表示要素のそれぞれを、少なくともそれぞれの前記公開状態と前記非公開状態の間で切り替え、  それによって前記選択可能表示パターンの前記一つの時間グループパターンと分グループパターンがそれぞれ該表示領域の近くで公開され、  前記表示要素コントローラーが前記日表示要素と前記月表示要素とも動作可能なように通信し、  前記表示要素コントローラーが前記日表示要素と前記月表示要素のそれぞれを、少なくともそれぞれの前記公開状態と前記非公開状態の間で切り替え、  それによって前記選択可能表示パターンの前記一つの日グループパターンと月グループパターンがそれぞれ該表示領域の近くに公開され、  それによって前記選択可能表示パターンの前記一つの前記日グループパターンと前記月グループパターンを含む日付グループパターンが、該時間信号に応えて前記コントローラーからの該出力管理信号の結果として該表示領域の近くに公開��れ、  前記時間グループパターン、前記分グループパターン、前記日グループパターン及び前記月グループパターンのそれぞれが、該表示領域を基準にして別個で認識可能なコントラストであり、前記時間グループパターン、前記分グループパターン、前記日グループパターン及び前記月グループパターンの他のグループパターンから視覚的に区別可能であり、  それによって、前記パターントグルメンバーが前記第一の位置にあるときに、前記第一の画像表示が前記時間グループパターンと前記分グループパターンとを含み、  それによって、前記パターントグルメンバーが前記第二の位置にあるときに、前記第二の画像表示が数値時間パターンを含み、  前記第一の画像表示と前記第二の画像表示が互いから視覚的に区別できる表示要素コントローラーと、を備える時間表示装置。
【請求項１３】
選択可能表示パターンで時間を表示するための時間表示装置であって、  時間メカニズムと、  複数の選択可能表示パターンを記憶するための記憶装置と、  オペレーターから少なくとも１つの入力を受信し、該少なくとも１つの入力に応えて前記選択可能表示パターンの１つを選択するインターフェースであって、  第一の位置と第二の位置と第三の位置に設置されるように適応されるパターントグルメンバーを含み、  前記トグルメンバーの前記第一の位置が第一の画像表示を選択し、前記トグルメンバーの前記第二の位置が第二の画像表示を選択し、前記トグルメンバーの前記第三の位置が第三の画像表示を選択するインターフェースと、  表示領域と、前記表示領域の近くに位置する複数の表示要素を有するディスプレイであって、  前記複数の表示要素が複数の時間要素と複数の日付要素とを含み、  前記複数の時間要素が複数の分表示要素と複数の時間表示要素とを含み、  前記複数の分表示要素のそれぞれが少なくとも公開状態と非公開状態とを有するとともに、少なくとも１分の経過を示し、  前記公開状態にある前記分表示要素の量が一時間内に経過した分数を示し、    前記複数の時間表示要素のそれぞれが少なくとも公開状態と非公開状態とを有するとともに、少なくとも一時間の経過を示し、  前記公開状態にある前記時間表示要素の量が一日の内に経過した時間数を示し、  前記複数の日付要素が複数の日表示要素と複数の月表示要素とを含み、  前記複数の日表示要素のそれぞれが少なくとも公開状態と非公開状態とを有するとともに、一月の内の少なくとも一日の経過を示し、  前記公開状態にある前記日付表示要素の量が一月の内に経過した日数を示し、  前記複数の月表示要素のそれぞれが少なくとも公開状態と非公開状態とを有するとともに、少なくとも一月の経過を示し、  前記公開状態にある前記月表示要素の量が一年の内に経過した月数を示すディスプレイと、  前記時間メカニズム、前記記憶装置及び前記インターフェースと通信する表示要素コントローラーであって、  前記表示要素コントローラーが前記時間メカニズムから時間信号を受信し、該時間信号に応えて前記コントローラーが前記時間表示要素と前記分表示要素に表示管理信号を出力し、  前記表示要素コントローラーが前記時間表示要素と前記分表示要素と動作可能なように通信し、  前記表示要素コントローラーが前記時間表示要素と前記分表示要素のそれぞれを、少なくともそれぞれの前記公開状態と前記非公開状態の間で切り替え、  それによって前記選択可能表示パターンの前記一つの時間グループパターンと分グループパターンがそれぞれ表示領域の近くに公開され、  前記表示要素コントローラーが前記日表示要素と前記月表示要素とも動作可能なように通信し、  前記表示要素コントローラーが前記日表示要素と前記月表示要素のそれぞれを、少なくともそれぞれの前記公開状態と前記非公開状態の間で切り替え、  それによって前記選択可能表示パターンの前記一つの日グループパターンと月グループパターンがそれぞれ該表示領域の近くに公開され、  それによって前記選択可能表示パターンの前記一つの前記日グループパターンと前記月グループパターンを含む日付グループパターンが、該時間信号に応えて前記コントローラーからの該出力表示管理信号の結果として該表示領域の近くに公開され、  前記時間グループパターン、前記分グループパターン、前記日グループパターン及び前記月グループパターンのそれぞれが、該表示領域を基準にして別個で認識できるコントラストとなり、前記時間グループパターン、前記分グループパターン、前記日グループパターン及び前記月グループパターンの内の他のグループパターンから視覚的に区別可能であり、  それによって、前記パターントグルメンバーが前記第一の位置にあるときに、前記第一の画像表示状態が時間だけを表示するために前記時間グループと前記分グループからなり、  それによって、前記パターントグルメンバーが前記第二の位置にあるときに、前記第二の画像表示状態が日付だけを表示するために前記月グループと前記日付グループとからなり、  それによって、前記パターントグルメンバーが前記第三の位置にあるときに、前記第三の画像表示状態が前記月グループと、前記日グループと、前記時間グループと、前記分グループとからなり、それによって時間と日付の両方を表示し、  前記第一の画像表示状態、前記第二の画像表示状態、及び前記第三の画像表示状態が互いから視覚的に区別できる画像要素コントローラーと、を備える時間表示装置。